(57)【要約】【課題】一つの映像制御部から複数の映像表示手段に複数の映像データ信号を送り出すことにより、安価な映像表示装置を提供すること。【解決手段】複数の表示ユニットが配列され形成された複数の画面に映像を表示する複数の映像表示手段１１０と、映像情報を格納する複数の映像信号格納手段１３０と、複数の映像信号格納手段を制御する格納制御手段１４０と、映像データ信号を生成する映像データ信号生成手段１５０と、生成された映像データ信号を複数の映像表示手段１１０に送り出す映像データ信号送出し手段１６０とを備える。【選択図】　　　　　図２
2004062069.tif 000002
【特許請求の範囲】
【請求項１】
複数の表示ユニットで形成された複数の画面に映像を表示する複数の映像表示手段と、１つの映像信号が格納される第１格納領域とこの格納領域を除き、少なくとも１つの前記映像信号が格納される第２格納領域とを有する映像信号格納手段と、前記第１格納領域と前記第２格納領域とに前記映像信号をそれぞれ格納するよう前記映像信号格納手段を制御する格納制御手段と、前記映像信号格納手段に格納された複数の前記映像信号から複数の映像データ信号をそれぞれ生成する映像データ信号生成手段と、生成された前記複数の映像データ信号を前記複数の映像表示手段にそれぞれ送り出しする映像データ信号送出し手段とを備え、前記複数の映像データ信号が前記複数の映像表示手段によってそれぞれ取得され、前記複数の画面に映像を表示することを特徴とする映像表示装置。
【請求項２】
複数の表示ユニットで形成された画面に予め設定された大きさの映像を表示する映像表示手段と、前記画面に表示される前記映像が予め設定された大きさに縮小されるよう映像信号を縮小処理する縮小処理手段と、縮小処理された１つの映像信号を格納する第１格納領域とこの格納領域を除き、少なくとも１つの前記映像信号が格納される第２の格納領域とを有する映像信号格納手段と、前記第１格納領域と前記第２の格納領域とに縮小処理された前記映像信号をそれぞれ格納するよう前記映像信号格納手段を制御する格納制御手段と、前記画面に縮小された映像を表示するよう前記映像信号格納手段に格納された複数の前記映像信号から映像データ信号を生成する映像データ信号生成手段と、生成された前記映像データ信号を前記映像表示手段に送り出しする映像データ信号送出し手段とを備え、前記映像データ信号が前記映像表示手段によって取得され、前記予め設定された大きさの映像を表示することを特徴とする映像表示装置。
【発明の詳細な説明】
【０００１】
【発明の属する技術分野】
本発明は、大型スタジアム、多目的ホール、ビル外壁などに設置される映像表示装置に関する。
【０００２】
【従来の技術】
従来、この種の映像表示装置として、特開２００１‐２９０４７１号公報に記載されたものが知られている。この従来の映像表示装置１は、図９に示すように、操作パネル２を有する１つの入力装置３に接続されており、三原色の発光素子からなる絵素を集積配置した表示ユニット４と、この表示ユニット４を複数個マトリクス状に組み合わせてなる映像表示手段５と、この映像表示手段５に電源を供給する分電盤６と、マトリクス状に配置された表示ユニット４に映像データ信号を分配する表示データ分配器７と、表示データ分配器７を介して映像表示部５を制御する映像制御部８とを備えている。
【０００３】
また、入力された映像信号は、一旦、メモリに格納され、走査変換と速度変換とが施された後、映像データ信号として映像表示手段５に送り出されている。この映像信号を格納するメモリは、更に大きい画面や高品位な映像を表示する画面に対応するよう十分なメモリ容量を持っており、映像信号が格納される格納領域を除く残余の格納領域が未使用の状態になっている。
【０００４】
図１０に示すように、上述のような従来の映像表示装置１が大型スタジアムなどに設置され、４つの画面１乃至４に複数の同じ映像を表示するよう４つの映像制御部８から４つの映像表示手段５に４つの映像データ信号を送り出している。
【０００５】
また、図１１に示すように、予め設定された大きさに縮小された複数の映像を１つの画面に表示する場合には、従来の映像表示装置１は、映像を予め設定された大きさに縮小し合成する映像合成部１２を、更に、備える必要があった。
【０００６】
【発明が解決しようとする課題】
しかしながら、従来の映像表示装置は、複数の画面にそれぞれ同じ映像を表示するものであっても複数の映像表示手段に複数の映像データ信号を送り出す複数の映像制御部を必要とし、複数の映像制御部が映像表示装置の生産コストを高くしているという問題があった。
【０００７】
本発明は、従来の問題を解決するためになされたもので、複数の映像制御部を必要とせず安価な映像表示装置を提供するものである。
【０００８】
【課題を解決するための手段】
本発明の映像表示装置は、複数の表示ユニットで形成された複数の画面に映像を表示する複数の映像表示手段と、１つの映像信号が格納される第１格納領域とこの格納領域を除き、少なくとも１つの前記映像信号が格納される第２の格納領域とを有する映像信号格納手段と、前記第１格納領域と前記第２格納領域に前記映像信号をそれぞれ格納するよう前記映像信号格納手段を制御する格納制御手段と、前記映像信号格納手段に格納された複数の前記映像信号から複数の映像データ信号をそれぞれ生成する映像データ信号生成手段と、生成された前記複数の映像データ信号を前記複数の映像表示手段にそれぞれ送り出しする映像データ信号送出し手段とを備え、前記複数の映像データ信号が前記複数の映像表示手段によってそれぞれ取得され、前記複数の画面に映像を表示する構成を有している。
【０００９】
この構成により、１つの映像制御部から複数の映像表示手段に複数の映像データ信号をそれぞれ送り出すことができる。
【００１０】
また、本発明の映像表示装置は、複数の表示ユニットで形成された画面に予め設定された大きさの映像を表示する映像表示手段と、前記画面に表示される前記映像が予め設定された大きさに縮小されるよう映像信号を縮小処理する縮小処理手段と、縮小処理された１つの映像信号を格納する第１格納領域とこの格納領域を除き、少なくとも１つの前記映像信号が格納される第２格納領域とを有する映像信号格納手段と、前記第１格納領域と前記第２格納領域とに縮小処理された前記映像信号をそれぞれ格納するよう前記映像信号格納手段を制御する格納制御手段と、前記画面に縮小表示された映像を表示するよう前記映像信号格納手段に格納された複数の前記映像信号から映像データ信号を生成する映像データ信号生成手段と、生成された前記映像データ信号を前記映像表示手段に送り出しする映像データ信号送出し手段とを備え、前記映像データ信号が前記映像表示手段によって取得され、前記予め設定された大きさの映像を表示する構成を有している。
【００１１】
この構成により、１つの映像制御部から予め設定された大きさに縮小された映像の映像データ信号を送り出すことができる。
【００１２】
【発明の実施の形態】
以下、本発明の実施の形態について、図面を参照して説明する。
【００１３】
（第１の実施の形態）
図１及び図２は、本発明の第１の実施の形態の映像表示装置のブロック図を示す。
【００１４】
図１及び図２に示すように、本発明の第１の実施の形態の映像表示装置１００は、複数の表示ユニットで形成された複数の画面に映像を表示する複数の映像表示手段１１０と、映像制御部１２０とを備えている。
【００１５】
映像制御部１２０は、１つの映像信号が格納される第１格納領域とこの格納領域を除き、少なくとも１つの映像信号が格納される第２格納領域とを有する映像信号格納手段１３０と、第１格納領域と第２格納領域に映像信号をそれぞれ格納するよう映像信号格納手段１３０を制御する格納制御手段１４０と、映像信号格納手段１３０に格納された複数の映像信号から複数の映像データ信号をそれぞれ生成する映像データ信号生成手段１５０と、生成された複数の映像データ信号を複数の映像表示手段１１０にそれぞれ送り出しする映像データ信号送出し手段１６０とを備え、複数の映像表示手段１１０に複数の映像データ信号をそれぞれ送り出すようになっている。
【００１６】
映像信号格納手段１３０の第２格納領域は、従来の映像表示装置において１つの映像信号が格納された格納領域を除く残余の格納領域として使用されていなかった領域を示しており、従来の映像表示装置に比べ格納領域を増設したものではない。
【００１７】
以上のように構成された映像表示装置について図３から図５を用いて、その動作を説明する。
【００１８】
図３及び図４は、本発明の第１の実施の形態の映像表示装置の映像信号格納手段及び格納制御手段のブロック図を示す。図３に示すように、映像信号格納手段１３０は、複数のメモリバンクｎヶより構成されている。また、格納制御手段１４０は、映像信号を格納するメモリバンクを制御するバンク制御回路と映像信号を格納するメモリバンクのアドレスを生成するアドレス生成回路とにより構成されている。ここで、例えば、映像信号格納手段１３０が、画面サイズ横１２８０×縦１０２４ドットで１画面しか格納できないメモリ容量であっても、画面サイズ横６４０×縦４８０ドットであれば、同一のメモリ容量でも４画面分の格納が可能である。本実施の形態では、このような場合を想定している。また、４つの画面に表示させたい元の映像データの画面サイズが横９６０×縦７２０ドットの場合には、予め画面サイズ横６４０×縦４８０ドットとなるように縮小してから前述の信号処理を行うものとする。さて、図４に示すように、例えば、１つの映像信号が格納される第１格納領域をメモリバンク１とすると、残余の格納領域である第２格納領域がメモリバンク２乃至４である。そして、４つのメモリバンク１乃至４が、格納制御手段１４０に映像信号の書込みを許可する書込みイネーブル信号ＷＥと複数のメモリーバンクの何れに格納するのかを指定するチップイネーブル信号ＣＥとにより制御され、４つの同じ映像信号を並列に格納するようになっている。
【００１９】
次に、図５のフローチャートを参照し、本実施の形態の映像表示装置１００の動作について説明する。
【００２０】
まず、映像信号格納手段１３０により、第１格納領域と残余の格納領域である第２格納領域とに映像信号が格納される（ステップＳ１３０）。次いで、映像データ信号生成手段１５０により、格納された複数の同じ映像信号から複数の映像データ信号が生成される（ステップＳ１４０）。次いで、映像データ信号送出し手段１６０により、生成された複数の映像データ信号が複数の映像表示手段１１０にそれぞれ送り出される（ステップＳ１５０）。最後に、複数の映像表示手段１１０の画面に同じ映像がそれぞれ表示される（ステップＳ１６０）。
【００２１】
ここで、図１０に示す従来の構成において、同一映像の４画面表示を行う場合、１つの映像制御部の出力を４画面に分配することも考えられるが、この場合、特定の画面のみにキャラクタ表示させる等の制御が行えないため採用できない。
【００２２】
本実施の形態では、４つの映像表示手段１１０に４つの同じ映像が表示されるよう４つの映像データ信号が送り出されることを説明したが、４つの映像データ信号を送り出すことに限定するものではない。
【００２３】
以上説明したように、本発明の第１の実施の形態の映像表示装置は、複数の画面の制御を行う場合に、表示画面が同一であれば、映像信号格納手段１３０の対応可能画面サイズ以内となるように、複数の画面サイズの総和を決定し、各表示画面に対応するメモリに同一の映像データを書き込み、及び、読み出しすることで映像信号格納手段１３０のメモリの増設または複数の映像制御部を用いることなく、１つの映像制御部から複数の映像表示手段に複数の映像データ信号をそれぞれ送り出すことができる。
【００２４】
（第２の実施の形態）
図６及び図７は、本発明の第２の実施の形態の映像表示装置のブロック図を示す。
【００２５】
図６及び図７に示すように、本発明の第２の実施の形態の映像表示装置２００は、複数の表示ユニットで形成された画面に予め設定された大きさに縮小された映像を表示する映像表示手段１１０と、映像制御部２２０とを備えている。
【００２６】
映像制御部２２０は、画面に表示される映像が予め設定された大きさに縮小されるよう映像信号を縮小処理する縮小処理手段２１０と、縮小処理された１つの映像信号を格納する第１格納領域とこの格納領域を除き、少なくとも１つの映像信号が格納される第２格納領域とを有する映像信号格納手段１３０と、第１格納領域と第２格納領域とに縮小処理された映像信号をそれぞれ格納するよう映像信号格納手段１３０を制御する格納制御手段１４０と、画面に縮小された映像を表示するよう映像信号格納手段１３０に格納された複数の映像信号から映像データ信号を生成する映像データ信号生成手段２５０と、生成された映像データ信号を映像表示手段に送り出す映像データ信号送出し手段２６０とを備え、画面に予め設定された大きさに縮小された複数の同じ映像を表示するようになっている。
【００２７】
以上のように構成された映像表示装置について、図８のフローチャートを用いて、その動作を説明する。
【００２８】
まず、縮小処理手段２１０により、映像信号が予め設定された大きさに縮小処理される。本実施の形態では、画面の４分の１の大きさに映像信号が縮小処理される（ステップＳ２２０）。例えば、映像信号格納手段１３０の対応可能画素サイズが横１２８０×縦１０２４ドットだとし、映像表示装置２００に入力される映像信号の画面サイズが横１０２４×縦７６８ドットだとした場合、本縮小処理にて横５１２×縦３８４ドットのサイズに縮小するものとする。次いで、映像信号格納手段１３０により、第１格納領域と第２格納領域とに縮小処理された複数の同じ映像信号が格納される（ステップＳ２３０）。次いで、映像データ信号生成手段２５０により、格納された４つの同じ映像信号から１つの映像データ信号が生成される（ステップＳ２４０）。次いで、映像データ信号送出し手段２６０により、生成された映像データ信号が映像表示手段１１０に送り出される（ステップＳ２５０）。最後に、映像表示手段１１０の画面に予め設定された大きさに縮小された４つの同じ映像が表示される（ステップＳ２６０）。
【００２９】
このように従来では映像合成装置を用いて同一画面に同一映像を複数表示させていたが、本実施の形態によれば、映像合成装置を用いることなく同一画面に同一映像を複数表示させることができる。
【００３０】
本実施の形態では、画面の４分の１の大きさに縮小された映像の映像データ信号を送り出すことを説明したが、縮小する大きさを限定するものではない。
【００３１】
以上説明したように、本発明の第２の実施の形態の映像表示装置２００は、同一画面に同一映像を複数表示させる場合に、映像信号格納手段１３０の対応可能画面サイズ以内となるように複数表示させる同一映像の画面サイズの総和を決定し、メモリを用いて走査周波数を変更することにより複数の同一映像を有した１つの映像データ信号を生成し、新たに映像合成装置を用いることなく同一画面に同一映像を複数表示させることができる。
【００３２】
【発明の効果】
以上説明したように、本発明は、複数の画面にそれぞれ同じ映像を表示する映像表示装置には、一つの映像制御部から複数の映像表示手段に複数の映像データ信号を送り出すことにより、複数の映像制御部を必要とせず安価な映像表示装置を提供することができるものである。
【図面の簡単な説明】
【図１】本発明の第１の実施の形態の映像表示装置の構成を示すブロック図
【図２】本発明の第１の実施の形態の映像表示装置の構成を示すブロック図
【図３】本発明の第１の実施の形態の映像表示装置の映像信号格納手段と格納制御手段の構成を示すブロック図
【図４】本発明の第１の実施の形態の映像表示装置の映像信号格納手段と格納制御手段の構成を示すブロック図
【図５】本発明の第１の実施の形態の映像表示装置の動作を示すフローチャート
【図６】本発明の第２の実施の形態の映像表示装置の構成を示すブロック図
【図７】本発明の第２の実施の形態の映像表示装置の構成を示すブロック図
【図８】本発明の第２の実施の形態の映像表示装置の動作を示すフローチャート
【図９】従来の映像表示装置の構成を示すブロック図
【図１０】従来の映像表示装置の構成を示すブロック図
【図１１】従来の映像表示装置の構成を示すブロック図
【符号の説明】
１００、２００　映像表示装置
１１０　映像表示手段
１２０、２２０　映像制御部
１３０　映像信号格納手段
１４０　格納制御手段
１５０、２５０　映像データ信号生成手段
１６０、２６０　映像データ信号送出し手段
２１０　縮小処理手段
【図１】
2004062069.tif 000003
【図２】
2004062069.tif 000004
【図３】
2004062069.tif 000005
【図４】
2004062069.tif 000006
【図５】
2004062069.tif 000007
【図６】
2004062069.tif 000008
【図７】
2004062069.tif 000009
【図８】
2004062069.tif 000010
【図９】
2004062069.tif 000011
【図１０】
2004062069.tif 000012
【図１１】
2004062069.tif 000013